(57)【要約】 【課題】  店舗に関する情報を携帯端末に簡単に登録することができる通信システムおよび携帯端末ならびに通信方法を提供する。【解決手段】  携帯端末１は、自局の現在位置を示す現在位置情報をサーバ２へ送信する。サーバ２は、現在位置情報に基づいて、携帯端末１の現在位置に対応した店舗の位置を示す店舗位置情報を携帯端末１へ送信する。携帯端末１は、現在位置情報および店舗位置情報に基づいて、現在位置が店舗内であるかどうか判定し、店舗内であった場合に、店舗の詳細な情報である店舗識別情報をサーバ２に要求する。サーバ２は、この要求に基づいて、該当する店舗の店舗識別情報を携帯端末１へ送信する。携帯端末１は店舗識別情報に基づいた特定の店舗に関する店舗登録情報を登録する。【選択図】    図１
2006014159.tif 000002
【特許請求の範囲】
【請求項１】
現在位置を検出し、該現在位置に対応した情報を処理する携帯端末と、前記現在位置に対応した情報を前記携帯端末へ送信するサーバとを具備する通信システムにおいて、
前記携帯端末は、
情報を記憶する記憶手段と、
前記現在位置を示す現在位置情報を前記サーバへ送信する第1の送信手段と、
前記現在位置に対応した店舗の位置を示す店舗位置情報と、前記店舗を識別する店舗識別情報とを前記サーバから受信する第１の受信手段と、
前記現在位置情報および前記店舗位置情報に基づいて、前記現在位置が特定の店舗内であるかどうか判定する判定手段と、
前記現在位置が特定の店舗内であると判定された場合に、前記店舗識別情報に基づいた特定の店舗に関する店舗登録情報を前記記憶手段に格納する情報格納手段とを具備し、
前記サーバは、
前記現在位置情報を前記携帯端末から受信する第２の受信手段と、
前記現在位置情報が示す前記現在位置に対応した店舗の前記店舗位置情報および前記店舗識別情報を前記携帯端末へ送信する第２の送信手段とを具備する
ことを特徴とする通信システム。
【請求項２】
前記判定手段は、前記ユーザによる店舗利用の状況を示す店舗利用情報によって示される前記ユーザの店舗利用の度合が所定以上であった場合に、前記特定の店舗の情報を登録すべきであると判定し、
前記情報格納手段は、前記特定の店舗の情報を登録すべきであると判定された場合に、前記店舗登録情報を前記記憶手段に格納する
ことを特徴とする請求項１に記載の通信システム。
【請求項３】
現在位置を検出し、該現在位置に対応した情報を処理する携帯端末と、前記現在位置に対応した情報を前記携帯端末へ送信するサーバとを具備する通信システムにおいて、
前記携帯端末は、
情報を記憶する記憶手段と、
前記現在位置を示す現在位置情報を前記サーバへ送信する第1の送信手段と、
前記現在位置に対応した店舗を識別する店舗識別情報を前記サーバから受信する第１の受信手段と、
前記店舗識別情報が受信された場合に、該店舗識別情報に基づいた特定の店舗に関する店舗登録情報を前記記憶手段に格納する情報格納手段とを具備し、
前記サーバは、
前記携帯端末によって送信された前記現在位置情報を受信する第２の受信手段と、
前記現在位置情報および前記店舗位置情報に基づいて、前記現在位置が特定の店舗内であるかどうか判定する判定手段と、
前記現在位置が特定の店舗内であると判定された場合に、前記店舗識別情報を前記携帯端末へ送信する第２の送信手段とを具備する
ことを特徴とする通信システム。
【請求項４】
前記判定手段はさらに、前記ユーザによる店舗利用の状況を示す店舗利用情報によって示される前記ユーザの店舗利用の度合が所定以上であった場合に、前記特定の店舗の情報を登録すべきであると判定し、
前記第２の送信手段は、前記特定の店舗の情報を登録すべきであると判定された場合に、前記店舗識別情報を前記携帯端末へ送信する
ことを特徴とする請求項３に記載の通信システム。
【請求項５】
前記店舗利用情報は、特定の店舗における前記ユーザの滞在時間を示すことを特徴とする請求項２または請求項４に記載の通信システム。
【請求項６】
前記店舗利用情報は、前記ユーザによる店舗の利用頻度を示すことを特徴とする請求項２または請求項４に記載の通信システム。
【請求項７】
現在位置を検出し、該現在位置に対応した情報をサーバから受信する携帯端末において、
情報を記憶する記憶手段と、
前記現在位置を示す現在位置情報を前記サーバへ送信する送信手段と、
前記現在位置に対応した店舗の位置を示す店舗位置情報と、前記店舗を識別する店舗識別情報とを前記サーバから受信する受信手段と、
前記現在位置情報および前記店舗位置情報に基づいて、前記現在位置が特定の店舗内であるかどうか判定する判定手段と、
前記現在位置が特定の店舗内であると判定された場合に、前記店舗識別情報に基づいた特定の店舗に関する店舗登録情報を前記記憶手段に格納する情報格納手段と、
を具備することを特徴とする携帯端末。
【請求項８】
前記判定手段は、前記ユーザによる店舗利用の状況を示す店舗利用情報によって示される前記ユーザの店舗利用の度合が所定以上であった場合に、前記特定の店舗の情報を登録すべきであると判定し、
前記情報格納手段は、前記特定の店舗の情報を登録すべきであると判定された場合に、前記店舗登録情報を前記記憶手段に格納する
ことを特徴とする請求項７に記載の携帯端末。
【請求項９】
前記店舗利用情報は、特定の店舗における前記ユーザの滞在時間を示すことを特徴とする請求項８に記載の携帯端末。
【請求項１０】
前記店舗利用情報は、前記ユーザによる店舗の利用頻度を示すことを特徴とする請求項８記載の携帯端末。
【請求項１１】
現在位置を検出し、該現在位置に対応した情報をサーバから受信する携帯端末において、
情報を記憶する記憶手段と、
前記現在位置を示す現在位置情報を前記サーバへ送信する送信手段と、
前記現在位置情報を受信した前記サーバによって、前記現在位置が特定の店舗内であると判定され、前記現在位置に対応した店舗を識別する店舗識別情報が送信された場合に、該店舗識別情報を前記サーバから受信する受信手段と、
受信された前記店舗識別情報に基づいた特定の店舗に関する店舗登録情報を前記記憶手段に格納する情報格納手段と、
を具備することを特徴とする携帯端末。
【請求項１２】
現在位置を検出し、該現在位置に対応した情報を処理する携帯端末と、前記現在位置に対応した情報を前記携帯端末へ送信するサーバとが通信する通信方法において、
前記現在位置を示す現在位置情報を前記携帯端末が前記サーバへ送信するステップと、
前記サーバが前記現在位置情報を受信し、該現在位置情報が示す前記現在位置に対応した店舗の位置を示す店舗位置情報を前記携帯端末へ送信するステップと、
前記携帯端末が前記店舗位置情報を前記サーバから受信し、前記現在位置情報および前記店舗位置情報に基づいて、前記現在位置が特定の店舗内であるかどうか判定するステップと、
前記現在位置が特定の店舗内であると判定した場合に、前記店舗を識別する店舗識別情報を前記携帯端末が前記サーバへ要求するステップと、
要求を受けた前記サーバが前記店舗識別情報を前記携帯端末へ送信するステップと、
前記携帯端末が前記店舗識別情報を前記サーバから受信し、該店舗識別情報に基づいた特定の店舗に関する店舗登録情報を記憶手段に格納するステップと、
を具備することを特徴とする通信方法。
【請求項１３】
現在位置を検出し、該現在位置に対応した情報を処理する携帯端末と、前記現在位置に対応した情報を前記携帯端末へ送信するサーバとが通信する通信方法において、
前記現在位置を示す現在位置情報を前記携帯端末が前記サーバへ送信するステップと、
前記サーバが前記現在位置情報を受信し、前記現在位置に対応した店舗の位置を示す店舗位置情報および前記現在位置情報に基づいて、前記現在位置が特定の店舗内であるかどうか判定するステップと、
前記現在位置が特定の店舗内であると判定した場合に、前記現在位置に対応した店舗を識別する店舗識別情報を前記サーバが前記携帯端末へ送信するステップと、
前記携帯端末が前記店舗識別情報を前記サーバから受信し、該店舗識別情報に基づいた特定の店舗に関する店舗登録情報を記憶手段に格納するステップと、
を具備することを特徴とする通信方法。
【発明の詳細な説明】
【技術分野】
【０００１】
本発明は、店舗検索や店舗の利用確認、店舗のサービス情報の提供等に用いられる店舗情報の登録方法の改善を図った通信システムおよび携帯端末ならびに通信方法に関する。
【背景技術】
【０００２】
近年、携帯電話を代表とする、無線通信機能を備えた携帯端末を用いた通信システムにおいては、さまざまなサービスが提供されている。例えば、ＧＰＳ（Ｇｌｏｂａｌ  Ｐｏｓｉｔｉｏｎｉｎｇ  Ｓｙｓｔｅｍ）受信機を備え、ＧＰＳ受信機が検出した現在位置に応じたサービス（地図表示等）を提供する携帯端末が登場している。また、特許文献１には、現在位置に応じて携帯端末の動作規制（通話規制等）を行う携帯通信システムおよび携帯通信端末が記載されている。
【特許文献１】特開２００３−９２３８号公報
【発明の開示】
【発明が解決しようとする課題】
【０００３】
一方、携帯端末の利用形態として、必要あるいは重要な情報を携帯端末に記憶しておき、必要なときにその情報を利用することが挙げられる。例えば、ユーザが店舗を利用した際に、気に入った店舗の情報を記録しておくために、その店舗の電話番号等を携帯電話等の携帯端末に登録しておくことが従来行われていた。しかし、ユーザが携帯端末を操作して、店舗に関する情報を入力することは手間のかかる作業であった。また、このような情報記録の利用価値を高めるためには、より詳細な情報の記録が必要であり、店舗名、住所、電話番号等の多元的な情報を入力することはさらに煩雑な作業であった。特に、ユーザが店舗の情報を登録し、記録しておきたいと思ったときに、入力に必要な店舗の情報が全て事前にわかっているとは限らず、その場合には必要な情報を新たに調べたり、あるいは以前の情報を調べ直したりする等の手間がかかる可能性があった。
【０００４】
本発明は、上述した問題点に鑑みてなされたものであって、店舗に関する情報を携帯端末に簡単に登録することができる通信システムおよび携帯端末ならびに通信方法を提供することを目的とする。
【課題を解決するための手段】
【０００５】
本発明は上記の課題を解決するためになされたもので、請求項１に記載の発明は、現在位置を検出し、該現在位置に対応した情報を処理する携帯端末と、前記現在位置に対応した情報を前記携帯端末へ送信するサーバとを具備する通信システムにおいて、前記携帯端末は、情報を記憶する記憶手段と、前記現在位置を示す現在位置情報を前記サーバへ送信する第1の送信手段と、前記現在位置に対応した店舗の位置を示す店舗位置情報と、前記店舗を識別する店舗識別情報とを前記サーバから受信する第１の受信手段と、前記現在位置情報および前記店舗位置情報に基づいて、前記現在位置が特定の店舗内であるかどうか判定する判定手段と、前記現在位置が特定の店舗内であると判定された場合に、前記店舗識別情報に基づいた特定の店舗に関する店舗登録情報を前記記憶手段に格納する情報格納手段とを具備し、前記サーバは、前記現在位置情報を前記携帯端末から受信する第２の受信手段と、前記現在位置情報が示す前記現在位置に対応した店舗の前記店舗位置情報および前記店舗識別情報を前記携帯端末へ送信する第２の送信手段とを具備することを特徴とする通信システムである。
【０００６】
請求項２に記載の発明は、請求項１に記載の通信システムにおいて、前記判定手段は、前記ユーザによる店舗利用の状況を示す店舗利用情報によって示される前記ユーザの店舗利用の度合が所定以上であった場合に、前記特定の店舗の情報を登録すべきであると判定し、前記情報格納手段は、前記特定の店舗の情報を登録すべきであると判定された場合に、前記店舗登録情報を前記記憶手段に格納することを特徴とする。
【０００７】
請求項３に記載の発明は、現在位置を検出し、該現在位置に対応した情報を処理する携帯端末と、前記現在位置に対応した情報を前記携帯端末へ送信するサーバとを具備する通信システムにおいて、前記携帯端末は、情報を記憶する記憶手段と、前記現在位置を示す現在位置情報を前記サーバへ送信する第1の送信手段と、前記現在位置に対応した店舗を識別する店舗識別情報を前記サーバから受信する第１の受信手段と、前記店舗識別情報が受信された場合に、該店舗識別情報に基づいた特定の店舗に関する店舗登録情報を前記記憶手段に格納する情報格納手段とを具備し、前記サーバは、前記携帯端末によって送信された前記現在位置情報を受信する第２の受信手段と、前記現在位置情報および前記店舗位置情報に基づいて、前記現在位置が特定の店舗内であるかどうか判定する判定手段と、前記現在位置が特定の店舗内であると判定された場合に、前記店舗識別情報を前記携帯端末へ送信する第２の送信手段とを具備することを特徴とする通信システムである。
【０００８】
請求項４に記載の発明は、請求項３に記載の通信システムにおいて、前記判定手段はさらに、前記ユーザによる店舗利用の状況を示す店舗利用情報によって示される前記ユーザの店舗利用の度合が所定以上であった場合に、前記特定の店舗の情報を登録すべきであると判定し、前記第２の送信手段は、前記特定の店舗の情報を登録すべきであると判定された場合に、前記店舗識別情報を前記携帯端末へ送信することを特徴とする。
【０００９】
請求項５に記載の発明は、請求項２または請求項４に記載の通信システムにおいて、前記店舗利用情報は、特定の店舗における前記ユーザの滞在時間を示すことを特徴とする。
【００１０】
請求項６に記載の発明は、請求項２または請求項４に記載の通信システムにおいて、前記店舗利用情報は、前記ユーザによる店舗の利用頻度を示すことを特徴とする。
【００１１】
請求項７に記載の発明は、現在位置を検出し、該現在位置に対応した情報をサーバから受信する携帯端末において、情報を記憶する記憶手段と、前記現在位置を示す現在位置情報を前記サーバへ送信する送信手段と、前記現在位置に対応した店舗の位置を示す店舗位置情報と、前記店舗を識別する店舗識別情報とを前記サーバから受信する受信手段と、前記現在位置情報および前記店舗位置情報に基づいて、前記現在位置が特定の店舗内であるかどうか判定する判定手段と、前記現在位置が特定の店舗内であると判定された場合に、前記店舗識別情報に基づいた特定の店舗に関する店舗登録情報を前記記憶手段に格納する情報格納手段とを具備することを特徴とする携帯端末である。
【００１２】
請求項８に記載の発明は、請求項７に記載の携帯端末において、前記判定手段は、前記ユーザによる店舗利用の状況を示す店舗利用情報によって示される前記ユーザの店舗利用の度合が所定以上であった場合に、前記特定の店舗の情報を登録すべきであると判定し、前記情報格納手段は、前記特定の店舗の情報を登録すべきであると判定された場合に、前記店舗登録情報を前記記憶手段に格納することを特徴とする。
【００１３】
請求項９に記載の発明は、請求項８に記載の携帯端末において、前記店舗利用情報は、特定の店舗における前記ユーザの滞在時間を示すことを特徴とする。
【００１４】
請求項１０に記載の発明は、請求項８に記載の携帯端末において、前記店舗利用情報は、前記ユーザによる店舗の利用頻度を示すことを特徴とする。
【００１５】
請求項１１に記載の発明は、現在位置を検出し、該現在位置に対応した情報をサーバから受信する携帯端末において、情報を記憶する記憶手段と、前記現在位置を示す現在位置情報を前記サーバへ送信する送信手段と、前記現在位置情報を受信した前記サーバによって、前記現在位置が特定の店舗内であると判定され、前記現在位置に対応した店舗を識別する店舗識別情報が送信された場合に、該店舗識別情報を前記サーバから受信する受信手段と、受信された前記店舗識別情報に基づいた特定の店舗に関する店舗登録情報を前記記憶手段に格納する情報格納手段とを具備することを特徴とする携帯端末である。
【００１６】
請求項１２に記載の発明は、現在位置を検出し、該現在位置に対応した情報を処理する携帯端末と、前記現在位置に対応した情報を前記携帯端末へ送信するサーバとが通信する通信方法において、前記現在位置を示す現在位置情報を前記携帯端末が前記サーバへ送信するステップと、前記サーバが前記現在位置情報を受信し、該現在位置情報が示す前記現在位置に対応した店舗の位置を示す店舗位置情報を前記携帯端末へ送信するステップと、前記携帯端末が前記店舗位置情報を前記サーバから受信し、前記現在位置情報および前記店舗位置情報に基づいて、前記現在位置が特定の店舗内であるかどうか判定するステップと、前記現在位置が特定の店舗内であると判定した場合に、前記店舗を識別する店舗識別情報を前記携帯端末が前記サーバへ要求するステップと、要求を受けた前記サーバが前記店舗識別情報を前記携帯端末へ送信するステップと、前記携帯端末が前記店舗識別情報を前記サーバから受信し、該店舗識別情報に基づいた特定の店舗に関する店舗登録情報を記憶手段に格納するステップとを具備することを特徴とする通信方法である。
【００１７】
請求項１３に記載の発明は、現在位置を検出し、該現在位置に対応した情報を処理する携帯端末と、前記現在位置に対応した情報を前記携帯端末へ送信するサーバとが通信する通信方法において、前記現在位置を示す現在位置情報を前記携帯端末が前記サーバへ送信するステップと、前記サーバが前記現在位置情報を受信し、前記現在位置に対応した店舗の位置を示す店舗位置情報および前記現在位置情報に基づいて、前記現在位置が特定の店舗内であるかどうか判定するステップと、前記現在位置が特定の店舗内であると判定した場合に、前記現在位置に対応した店舗を識別する店舗識別情報を前記サーバが前記携帯端末へ送信するステップと、前記携帯端末が前記店舗識別情報を前記サーバから受信し、該店舗識別情報に基づいた特定の店舗に関する店舗登録情報を記憶手段に格納するステップとを具備することを特徴とする通信方法である。
【発明の効果】
【００１８】
本発明によれば、店舗に関する情報を携帯端末に簡単に登録することができるという効果が得られる。
【発明を実施するための最良の形態】
【００１９】
以下、図面を参照し、本発明を実施するための最良の形態について説明する。図１は、本発明の一実施形態による通信システムの構成を示すブロック図である。以下、図中の各構成について説明する。この通信システムは携帯端末１、サーバ２、基地局３、およびネットワーク４を備えている。携帯端末１は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等の、無線通信機能を備えた端末である。また、後述するように、携帯端末１はＧＰＳによる測位を行い、現在位置を検出する機能を有している。なお、図示していないが、この通信システムには複数の携帯端末が存在しているものとする。
【００２０】
サーバ２は各種の情報、特に店舗に関する情報の記憶および管理を行う。基地局３は携帯端末１と無線通信を行う。ネットワーク４は有線あるいは無線のＬＡＮ（Ｌｏｃａｌ  Ａｒｅａ  Ｎｅｔｗｏｒｋ）等の小ネットワーク、および小ネットワークどうしを結ぶ基幹ネットワークの集合体としてのネットワークである。サーバ２および基地局３はネットワーク４に接続されており、携帯端末１は、基地局３およびネットワーク４を介してサーバ２と通信を行う。
【００２１】
携帯端末１において、制御部１０１は端末内部の各部の制御および演算等の機能を有する。アンテナ１０２は、基地局３と電波の送受信を行う。送受信部１０３は、アンテナ１０２によって受信された電波に基づいた受信信号の復調および復号化処理を行うと共に、アンテナ１０２によって電波に変換されて送信される送信信号の符号化および変調処理を行う。ＧＰＳアンテナ１０４は、図示せぬＧＰＳ衛星から電波を受信する。ＧＰＳ受信部１０５は、ＧＰＳアンテナ１０４によって受信された電波に基づいた受信信号の復調および復号化処理を行い、受信データを取得する。また、ＧＰＳ受信部１０５は、複数のＧＰＳ衛星からの受信データに基づいて、各ＧＰＳ衛星までの距離を算出し、それらの距離に基づいて、現在位置を算出する。
【００２２】
表示部１０６は、情報を表示する液晶画面や液晶の駆動回路等を備えている。楽音再生部１０７は、着信音等の楽音を再生するための楽音データに基づいて、楽音信号を生成する。スピーカ１０８は、楽音再生部１０７によって生成された楽音信号によって駆動され、楽音を発生する。記憶部１０９は、店舗の名称、住所、電話番号等の詳細情報や店舗の利用回数、利用日時等の情報が登録された電話帳／個人データベース（店舗登録情報）等の各種の情報を記憶するメモリである。入力部１１０は、ユーザによって操作される各種のキーを備えており、ユーザによるキーの操作結果を示す信号を生成する。
【００２３】
音声処理部１１１は通話時の音声に係る処理を行う。この音声処理部１１１は、通話時に送受信部１０３から出力された音声データに基づいて、スピーカ１１２を駆動するための駆動信号を生成すると共に、マイク１１３から出力された音声信号に基づいて音声データを生成する。スピーカ１１２は、音声処理部１１１によって生成された駆動信号によって駆動され、通話相手の音声を発生する。マイク１１３にはユーザの音声が入力される。このマイク１１３は、入力された音声に基づいて音声信号を生成する。上記の各部はバスＢを介して接続されている。
【００２４】
サーバ２において送受信部２０１は、ネットワーク４を介して基地局３と送受信するデータおよび情報の入出力インタフェースである。制御部２０２は、基地局３内の各部の制御および通信の制御等を行う。記憶部２０３は、複数の店舗について、各店舗を識別するための店舗識別情報（店舗名、住所、電話番号等）を含む店舗情報データベース、各店舗の位置を示す店舗位置情報を含む各店舗の地図情報データベース、および各店舗のサービス情報（割引情報、おすすめ品に関するおすすめ品情報、人気商品に関する人気商品情報等）を含むサービス情報データベース等を記憶する。
【００２５】
次に、本実施形態による通信システムの動作について説明する。図２は、この通信システムによる通信のシーケンスを示している。以下、図２に沿って、この通信システムの動作について説明する。ＧＰＳ受信部１０５は定期的に測位を行い、自局の現在位置を検出する（ステップＳ２０１）。携帯端末１は、検出した現在位置周辺の店舗の位置に関する情報を定期的にサーバ２へ要求する。この場合、制御部１０１は、現在位置を示す現在位置情報をＧＰＳ受信部１０５から取得し、この現在位置情報に対して、店舗の位置に関する情報の要求を示す情報を付加し、送受信部１０３へ出力する。送受信部１０３は、現在位置情報に対して符号化および変調処理を行い、アンテナ１０２を介して基地局３へ送信する。基地局３はアンテナを介して現在位置情報を受信し、復調および復号化処理を行い、ネットワーク４を介してサーバ２へ送信する（ステップＳ２０２）。
【００２６】
サーバ２において、送受信部２０１は現在位置情報を受信し、制御部２０２へ出力する。制御部２０２は記憶部２０３中の地図情報データベースを参照し、現在位置情報によって示される携帯端末１の現在位置に対応した店舗（現在位置に存在する店舗および現在位置を中心とする所定範囲内の現在位置周辺の店舗）を検索する。制御部２０２は検索の結果、携帯端末１の現在位置に対応した店舗の位置を示す店舗位置情報を送受信部２０１へ出力する（ステップＳ２０３）。送受信部２０１は、ネットワーク４を介して店舗位置情報を基地局３へ送信する。基地局３は店舗位置情報を受信し、店舗位置情報に対して符号化および変調処理を行い、携帯端末１へ送信する（ステップＳ２０４）。
【００２７】
携帯端末１において、送受信部１０３は、アンテナ１０２を介して店舗位置情報を受信し、復調および復号化処理を行い、制御部１０１へ出力する。制御部１０１は店舗位置情報によって示される周囲の店舗の位置と自局の現在位置とを比較し、自局が特定の店舗内に存在するかどうか（自局の現在位置が店舗内であるかどうか）判定する。この判定においては、現在位置と店舗の位置とが完全に一致した場合だけでなく、店舗の位置を中心とする例えば数十メートルの範囲内に自局の現在位置があった場合に、自局が店舗内に存在しているというように判定する。
【００２８】
上記の判定により、自局が店舗内に存在していると判定した場合に、制御部１０１は滞在時間（店舗利用情報）の計測を開始する。制御部１０１は内部のタイマーを起動し、タイマー時間の監視を開始する（ステップＳ２０５）。制御部１０１は定期的にＧＰＳ受信部１０５から出力される現在位置情報と店舗位置情報とに基づいて、自局が店舗内に一定時間以上滞在しているかどうか判定する（ステップＳ２０６）。滞在時間が一定時間以上となる前に、自局の現在位置が、例えば店舗の位置を中心とする半径数十メートル以内の範囲から外れた場合には、制御部１０１は、自局が店舗の外に移動したと判定し、タイマーをリセットする。
【００２９】
また、自局が店舗内に一定時間以上滞在したと判定した場合には、制御部１０１は記憶部１０９中の店舗の利用回数の情報を読み出し、該当する店舗の利用回数を参照する。この情報は、電話帳／個人データベースとは別に記憶部１０９に格納されている情報であって、ユーザが特定の店舗を所定回数以上利用したかどうかの判定に用いられる情報である。ユーザが該当店舗を初めて利用した場合には、該当する店舗の利用回数の情報が記憶部１０９中に存在しないため、制御部１０１は店舗の利用回数の情報に新たにその店舗の利用回数の情報を追加し、該当する店舗の利用回数を１回とする。また、該当する店舗の利用回数の情報が記憶部１０９中に存在する場合には、制御部１０１はその店舗の利用回数を１だけ増加させる（ステップＳ２０７）。
【００３０】
続いて、制御部１０１は、該当する店舗の利用回数（店舗利用情報）が一定回数以上であるかどうか判定する。この利用回数が一定回数に満たない場合には、店舗の詳細情報の登録は行われず、処理を終了する。また、利用回数が一定以上であった場合には、制御部１０１は、この店舗の詳細な情報を記憶部１０９の電話帳／個人データベースに登録すべきであると判定し、情報を登録するかどうかユーザに確認するため、確認を促すための表示用データを生成し、表示部１０６へ出力する。表示部１０６は、表示用データに基づいた表示を行う（ステップＳ２０８）。
【００３１】
図２の符号４０１は、表示部１０６に表示される画像の例を示している。この表示を確認したユーザによって入力部１１０から「はい」または「いいえ」を指定する情報が入力されると、入力部１１０はその情報を示す信号を生成し、制御部１０１へ出力する。制御部１０１は、この信号に基づいて、ユーザによる判断の結果を判定する。ユーザによって「いいえ」の情報が入力された場合には処理が終了し、「はい」の情報が入力された（ステップＳ２０９）場合には、制御部１０１は、登録する店舗の詳細な情報をサーバ２に要求するための詳細要求情報を生成し、送受信部１０３へ出力する。なお、上記の動作において、ユーザに対して店舗の詳細な情報の登録を行うかどうかの確認通知をせずに、店舗の詳細な情報を登録すると制御部１０１が判断するようにしてもよい。
【００３２】
送受信部１０３は、現在位置情報を送信した場合と同様にして、アンテナ１０２を介して詳細要求情報を送信する。この詳細要求情報は基地局３によって受信され、ネットワーク４を経由してサーバ２へ転送される（ステップＳ２１０）。サーバ２の送受信部２０１は詳細要求情報を受信し、制御部２０２へ出力する。制御部２０２は記憶部２０３中の店舗情報データベースを参照し、詳細要求情報によって要求された店舗を検索し、その店舗の店舗名、住所、および電話番号等の情報を含む店舗の詳細な情報である店舗識別情報を送受信部２０１へ出力する（ステップＳ２１１）。
【００３３】
送受信部２０１は、ネットワーク４を介して基地局３へ店舗識別情報を送信する。この店舗識別情報は、店舗位置情報と同様に、基地局３によって受信され、携帯端末１へ送信される（ステップＳ２１２）。携帯端末１において送受信部１０３は、アンテナ１０２を介して店舗識別情報を受信し、復調および復号化処理を行い、制御部１０１へ出力する。制御部１０１は、店舗識別情報によって示される店舗の名称、住所、電話番号等の詳細情報（店舗登録情報）および利用回数、利用日時等の情報を記憶部１０９中の電話帳／個人データベースに格納する（ステップＳ２１３）。続いて、制御部１０１は、店舗の詳細な情報の登録を行ったことをユーザに通知するための表示用データを生成し、表示部１０６へ出力する。表示部１０６は、表示用データに基づいた表示を行う（ステップＳ２１４）。図２の符号４０２は、表示部１０６に表示される画像の例を示している。
【００３４】
次に、本実施形態による通信システムの他の動作について説明する。図３は、この通信システムによる通信の他のシーケンスを示している。以下、図３に沿って、この通信システムの動作について説明する。図３においてステップＳ３０１〜Ｓ３０７の動作は図２のステップＳ２０１〜Ｓ２０７の動作と同様であるので、説明を省略する。続いて、携帯端末１の制御部１０１は、記憶部１０９中の電話機／個人データベースを参照し、該当する店舗の情報が既に登録されているかどうか判定する。該当する店舗の情報がまだ登録されていない場合には、図２のステップＳ２０８以後と同様の処理を行う。
【００３５】
一方、該当する店舗の情報が既に登録されていた場合（ステップＳ３０８）には、制御部１０１は、該当する店舗のサービス情報をサーバ２に要求するためのサービス要求情報を生成し、送受信部１０３へ出力する。送受信部１０３は、前述した動作と同様にして、アンテナ１０２を介してサービス要求情報を基地局３へ送信する。このサービス要求情報は基地局３によって受信され、ネットワーク４を経由してサーバ２へ転送される（ステップＳ３０９）。サーバ２の送受信部２０１はサービス要求情報を受信し、制御部２０２へ出力する。制御部２０２は記憶部１０９中のサービス情報データベースを参照し、要求された店舗のサービス情報（割引情報、おすすめ品情報、および人気商品情報等）を検索し、そのサービス情報を送受信部２０１へ出力する（ステップＳ３１０）。
【００３６】
送受信部２０１は、ネットワーク４を介してサービス情報を基地局３へ送信する。このサービス情報は、前述した動作と同様にして基地局３によって受信され、携帯端末１へ送信される（ステップＳ３１１）。携帯端末１の送受信部１０３は、アンテナ１０２を介してサービス情報を受信し、復調および復号化処理を行い、制御部１０１へ出力する。制御部１０１は、このサービス情報をユーザに通知するための表示用データを生成し、表示部１０６へ出力する。表示部１０６は、表示用データに基づいた表示を行う（ステップＳ３１２）。図３の符号４０３は、表示部１０６に表示される画像の例を示している。この表示により、ユーザは、現在自分が滞在している店舗についての各種の情報を確認することができる。
【００３７】
制御部１０１は、定期的にＧＰＳ受信部１０５から出力される現在位置情報と店舗位置情報とに基づいて、自局が店舗内に滞在しているかどうかの判定を継続している。制御部１０１は、自局の現在位置が、例えば店舗の位置を中心とする半径数十メートル以内の範囲から外れた場合には、自局が店舗の外に移動し、ユーザによる店舗の利用が終了したと判定し、タイマーをリセットする（ステップＳ３１３）。続いて、制御部１０１は、ユーザに対して店舗の利用状況・利用内容の入力を促すための表示用データを生成し、表示部１０６へ出力する。表示部１０６は、表示用データに基づいた表示を行う（ステップＳ３１４）。図３の符号４０４は、表示部１０６に表示される画像の例を示している。
【００３８】
この表示を確認したユーザによって入力部１１０から店舗の利用内容の情報が入力されると、入力部１１０は入力内容を示す信号を生成し、制御部１０１へ出力する（ステップＳ３１５）。この入力において、購入品および購入金額の情報、または店舗のサービスもしくは商品に対する満足度等が入力される。制御部１０１は、入力部１１０から出力された信号に基づいて、ユーザによる入力内容を判断する。また、制御部１０１は、記憶部１０９中の電話帳／個人データベースに既に登録されている該等店舗の利用回数および利用日時等の情報を更新する（ステップＳ３１６）。
【００３９】
また、制御部１０１は、ユーザによる店舗の利用状況をサーバ２に通知するため、ユーザによって入力された店舗の利用内容（購入品の情報、または店舗のサービスもしくは購入品に対するユーザの満足度の情報）を示す利用内容情報を生成し、送受信部１０３へ出力する。送受信部１０３は、前述した動作と同様にして、アンテナ１０２を介して利用内容情報を基地局３へ送信する。この利用内容情報は基地局３によって受信され、ネットワーク４を経由してサーバ２へ転送される（ステップＳ３１７）。
【００４０】
サーバ２の送受信部２０１は利用内容情報を受信し、制御部２０２へ出力する。制御部２０２は、利用内容情報によって示されるユーザの店舗利用内容に基づいて、記憶部２０３に格納されているサービス情報データベースの内容を更新する（ステップＳ３１８）。これにより、人気店や人気商品の情報がサービス情報データベースに反映される。なお、ステップＳ３１４において、ユーザに対して店舗の利用状況・利用内容の入力を促すときに、スピーカ１０８から通知音を発生したり、図示せぬ振動発生手段（バイブレータ）によって振動を発生するようにしてもよい。
【００４１】
各店舗の店主等は、自身が所有するコンピュータ等を用いてサーバ２に接続し、サーバ２の記憶部２０３に格納されているサービス情報データベースの内容を更新することができる。これにより、新しいおすすめ品の情報や最新の割引情報をサービス情報データベースに登録することができる。
【００４２】
次に、上述した動作によって携帯端末１の記憶部１０９に格納された電話機／個人データベースに含まれる情報の利用方法について説明する。例えば、ユーザがいつ、どのような店舗を利用したのかを記録するメモとしてこの情報を利用することができる。また、電話機／個人データベースに格納された複数の店舗の情報の中から、優先度に応じて情報を選択することにより、ユーザの好み等に合わせた情報をユーザに提示することができる。
【００４３】
例えば、制御部１０１が記憶部１０９中の電話機／個人データベースを参照し、利用回数の情報等に基づいて、ユーザが最近よく利用する店舗や、最近利用していない店舗、満足度の高い店舗等のように情報を分類し、それらの情報をグラフや表によって表示するための表示用データを生成して表示部１０６へ出力する。表示部１０６がこの表示用データに基づいた表示を行うことにより、ユーザは、最近よく利用する店舗やしばらく利用していない店舗等の情報を確認することができる。また、ユーザが上記の情報に基づいて、最近よく利用する店舗を確認することにより、外食をどの程度控えるか等の日常生活の管理を行うこともできる。
【００４４】
なお、上述した通信システムの動作において、携帯端末１の現在位置が特定の店舗内であるかどうかの判定を携帯端末１が行っているが、サーバ２がこの判定を行ってもよい。以下、この場合の通信システムの動作の一例を説明する。
（１）上述した動作と同様にして、携帯端末１が現在位置を検出し、現在位置情報を定期的にサーバ２へ送信する。
（２）サーバ２において、送受信部２０１は現在位置情報を受信し、制御部２０２へ出力する。制御部２０２は、記憶部２０３中の地図情報データベースを参照し、現在位置情報によって示される携帯端末１の現在位置に対応した店舗を検索する。制御部２０２は、携帯端末１の現在位置と店舗位置情報とに基づいて、携帯端末１の現在位置が店舗内であるかどうか（携帯端末１が店舗内に滞在しているかどうか）判定する。
【００４５】
（３）携帯端末１の現在位置が店舗内であると判定した場合、制御部２０２は、携帯端末１から定期的に送信される現在位置情報に基づいて、図２のステップＳ２０５〜２０６と同様にして、ユーザが現在滞在している店舗の情報を登録すべきであるかどうか判定する。
（４）店舗の情報を登録すべきであると判定した場合、制御部２０２は、その店舗の店舗名、住所、および電話番号等の情報を含む店舗識別情報を送受信部２０１へ出力する。この店舗識別情報は送受信部２０１によって送信され、ネットワーク４および基地局３を介して、携帯端末１によって受信される。
（５）携帯端末１において、制御部１０１は店舗識別情報によって示される店舗の名称、住所、電話番号等の詳細情報（店舗登録情報）および利用回数、利用日時等の情報を記憶部１０９中の電話帳／個人データベースに格納する。
【００４６】
なお、図２のステップＳ２０８において、ユーザによる特定の店舗の利用回数が所定以上であった場合に、その店舗の詳細な情報を記憶部１０９の電話帳／個人データベースに登録すべきであると判定しているが、判定の基準となる利用回数の規定回数は、ユーザが自由に設定してよい。また、上述した動作によって自動的に登録される店舗の店舗種類（洋食店、居酒屋、洋服点等）や適用地域（自宅から５ｋｍ以内等）もユーザが自由に設定してよい。
【００４７】
上述したように、本実施形態によれば、携帯端末１の現在位置および店舗の位置に基づいて、携帯端末１の現在位置が特定の店舗内であるかどうか判定し、現在位置が特定の店舗内であった場合に、店舗名、住所、電話番号等の店舗識別情報に基づいた店舗登録情報を携帯端末１の記憶部１０９に格納することにより、店舗の詳細情報を自動的に携帯端末１に登録することができる。すなわち、ユーザが店舗の情報を調べて手動で登録する必要がなく、ユーザの手間を削減し、店舗に関する情報を簡単に携帯端末１に登録することができる。
【００４８】
また、特定の店舗におけるユーザの滞在時間（利用時間）またはユーザによる特定の店舗の利用回数（利用頻度）が所定以上であった場合に、店舗に関する情報を携帯端末１に登録すべきであると判定することにより、ユーザにとって重要あるいは有用な店舗の情報またはユーザが興味のある店舗の情報を優先的に登録することができる。また、携帯端末１の現在位置が特定の店舗内であった場合に、サーバ２が店舗のサービス情報を携帯端末１へ送信し、携帯端末１がそのサービス情報の内容を表示することにより、ユーザに対してより有益な情報を提供することができる。
【００４９】
また、携帯端末１の現在位置が特定の店舗内であるかどうかの判定、および店舗におけるユーザの滞在時間の監視をサーバ２が行うことにより、携帯端末１の負荷を軽減することができる。
【００５０】
以上、図面を参照して本発明の実施形態について詳述してきたが、具体的な構成はこれらの実施の形態に限られるものではなく、この発明の要旨を逸脱しない範囲の設計変更等も含まれる。
【図面の簡単な説明】
【００５１】
【図１】本発明の一実施形態による通信システムの構成を示すブロック図である。
【図２】同実施形態による通信システムの通信シーケンスを示すシーケンス図である。
【図３】同実施形態による通信システムの他の通信シーケンスを示すシーケンス図である。
【符号の説明】
【００５２】
１・・・携帯端末、２・・・サーバ、３・・・基地局、４・・・ネットワーク、１０１，２０２・・・制御部、１０２・・・アンテナ、１０３，２０１・・・送受信部、１０４・・・ＧＰＳアンテナ、１０５・・・ＧＰＳ受信部、１０６・・・表示部、１０７・・・楽音再生部、１０８，１１２・・・スピーカ、１０９，２０３・・・記憶部、１１０・・・入力部、１１１・・・音声処理部、１１３・・・マイク。
【図１】
2006014159.tif 000003
【図２】
2006014159.tif 000004
【図３】
2006014159.tif 000005